(57)【要約】【課題】熱可塑性樹脂を素材とする弾性シートを椅子の背もたれ部として採用し、背後フレームおよび水平架材に簡単、確実にシートを張着し得る構造を提供することを目的としている。【解決手段】脚部３に基台２が固着され、この上に座部１が敷設され、前記座部１の一方端において背もたれ部Ｂが起立してなる椅子Ｓであって、熱可塑性樹脂からなるシート７の部位を背後フレーム４および水平架材５に止着してなる椅子の背もたれ張着構造である。【選択図】図３
0003118464.tif 000002
【実用新案登録請求の範囲】
【請求項１】
脚部３に基台２が固着され、
この上に座部１が敷設され、
前記座部１の一方端において背もたれ部Ｂが起立してなる椅子Ｓであって、
熱可塑性樹脂からなるシート７の部位を背後フレーム４および水平架材５に止着してなることを特徴とする椅子の背もたれ張着構造。
【請求項２】
前記シート７の四隅が前記背後フレーム４の裏キャップ４１と表キャップ７２とで挟着されてなることを特徴とする請求項１記載の椅子の背もたれ張着構造。
【請求項３】
前記シート７の両側縁部において、シート７と一体に形成されたリブ７４を前記水平架材５の係止具５１に止着してなることを特徴とする請求項１記載の椅子の背もたれ張着構造。
【考案の詳細な説明】
【技術分野】
【０００１】
この考案は、椅子の背もたれ張着シートに関する。詳しくは、椅子の背もたれ部材として、弾性を有する熱可塑性樹脂を素材とするシートを背後のフレームに確実に張着し得る構造に関する。
【背景技術】
【０００２】
椅子の背もたれ部のクッション材は一般に熱硬化性樹脂であるポリウレタン発泡体もしくはそれらの集積材が広く用いられているが、熱硬化性樹脂からなるクッション材は、廃棄物となって焼却処理する過程で有害ガスを発生するため自然環境への悪影響が懸念される。そこで対策として、環境に優しく再利用が比較的容易な熱可塑性樹脂を使用することが要望される。しかし、熱可塑性樹脂を素材とする従来のクッション材は従来の熱硬化性ポリウレタン発泡体に匹敵するような復元性や弾力性が得られないという問題があった。
【０００３】
ところで、本出願人は、弾力性を備えたシートを椅子の背もたれ部のフレームに張着するようにした椅子を提案している（例えば、特許文献１参照）。その内容は、従来の熱硬化性ポリウレタン発泡体に匹敵する程の動的粘弾性に優れた熱可塑性樹脂素材を厚さ０．５〜１０ｍｍの板状に成形し、この成形品に多数の透孔を形成することによって空隙率を５〜８０％に調整し、この成形品を背もたれ部として張着状態に構成するものである。
【０００４】
【特許文献１】特許第３６６２００６号公報
【考案の開示】
【考案が解決しようとする課題】
【０００５】
以上の通りであって、特許文献１に代表されるように、従来の椅子の背もたれ張着構造には、次のような問題点がある。
【０００６】
即ち、従来の椅子の背もたれ張着構造の問題点は、弾力性を備えたシートを背もたれ部のフレームに止着するにあたり、背もたれ部の両側にシートを止着するための専用の凸凹枠部品を必要とし、これらの部品の費用が高くなる。また、背もたれ部の両端部における凸凹枠部品は、ある程度の高さを必要とするので背もたれ部を薄く見せるデザイン性を欠くものとなる。
【０００７】
そこで、本考案の椅子の背もたれ張着構造は、特許文献１に代表する従来の抱える問題点を解決するためになされたもので、熱可塑性樹脂を素材とする弾性シートを椅子の背もたれ部として採用し、背後フレームおよび水平架材に簡単、確実にシートを張着し得る構造を提供することを目的としている。
【課題を解決するための手段】
【０００８】
そこで、本考案者等は、熱可塑性樹脂からなるシートは、引張力に対して強く、背もたれした人の体重を確実に支えることができ、その上、撓んで適度な伸縮性および弾力性を有するので背中の姿形にフィットすることに着目し、更に、シートをフレームに止着する部材を簡略化することへと着想を発展させた。本考案の椅子の背もたれ張着構造はかかる知見を基に具現化したもので、請求項１の考案は、脚部３に基台２が固着され、この上に座部１が敷設され、前記座部１の一方端において背もたれ部Ｂが起立してなる椅子Ｓであって、熱可塑性樹脂からなるシート７の部位を背後フレーム４および水平架材５に止着してなることを特徴とする椅子の背もたれ張着構造である。
【０００９】
また、請求項２の考案は、請求項１の考案の上記特徴に加えて、前記シート７の四隅が前記背後フレーム４の裏キャップ４１と表キャップ７２とで挟着されてなることを特徴とする椅子の背もたれ張着構造である。
【００１０】
また、請求項３の考案は、請求項１の考案の上記特徴に加えて、前記シート７の両側縁部において、シート７と一体に形成されたリブ７４を前記水平架材５の係止具５１に止着してなることを特徴とする椅子の背もたれ張着構造である。
【考案の効果】
【００１１】
本考案の背もたれ部の張着構造によれば、熱可塑性樹脂により成形された弾性シートを背もたれ部背後のフレームに簡単で確実に張着することができるという効果を奏するものである。また、この構造によればシートが傷んだ時は簡単に張り替えることができるとともに、熱可塑性樹脂を素材とするので、廃棄時における素材の再利用が容易であるとともに、たとえ焼却しても熱硬化性樹脂のように有害ガスを出さない等の効果を奏する。
【考案を実施するための最良の形態】
【００１２】
本考案の実施の形態を、添付図面に示した本考案の実施例に基づいて以下に具体的に説明する。
【実施例】
【００１３】
先ず、本考案の実施例について、図１〜図４を参照しながら説明する。図１は、椅子を正面側から見た外観斜視図である。図２は、椅子を背後から見た外観斜視図である。図３は、背もたれ部の部品を分解した斜視図である。図４は、シート四隅部における止着部の断面図および部品の分解図である。
【００１４】
図１、２に示すように、椅子Ｓは、上方から背もたれ部Ｂ、座部１、基台２および脚部３から構成される。脚部３に基台２が固着され、この上に座部１が敷設される。座部１の一方端部において背もたれ部Ｂが起立して設けられる。そして、背もたれ部Ｂはシート７の周縁部において背後フレーム４に止着され、シート７が張着された構造となる。先ず、背もたれ部Ｂのフレーム構造は次のように構成される。椅子Ｓの背後において、基幹フレーム６が基台２の部位で枝分かれして上方へ逆Ｖ字状に延び、この逆Ｖ字の交点においてＸ字状に拡がる背後フレーム４の中心部が背後から固着される。更に、背後フレーム４の中心部において水平架材５が背後から固着される。このように、背もたれ部Ｂの背部構造は、背後から正面方向へ基幹フレーム６、背後フレーム４および水平架材５が重なって結合される。このような椅子Ｓの背部のフレーム構造において、Ｘ字状に拡がる背後フレーム４の四方先端部においてシート７が張着される。さらに、水平架材５が背もたれ部の左右に延び、この水平架材５の左右端部位においてシート７が張着される。以上、シート７は、背後から四隅部と両側縁部の中間高さ部位の２部位の６箇所において張着されることになる。
【００１５】
この椅子の背もたれ部Ｂは、Ｘ字状の背後フレーム４および背後フレーム４の中央部において水平方向に結合された水平架材５の両部材に、高弾性の熱可塑性樹脂製のシート７が張着される構成となる。ここで、背後フレーム４の先端部に裏キャップ４１が４箇所および水平架材５の左右に延びる両端部に係止具２箇所が設けられる。
【００１６】
シート７の樹脂特性としては、ＪＩＳ−Ａ硬度６５〜Ｄ硬度７５で、常温における貯蔵弾性率が５０〜５００Ｎ／ｍｍ2の動的粘弾性を有し、射出成形によって厚さ０．５〜１０ｍｍのシート状に成形され、多数の透孔を形成することによって空隙率が５〜８０％となるように調整される。シート７の周縁部を上下左右に巡るように環状に形成される周枠部７１を、射出成形の際同時に、一段肉厚に一体に形成する。
【００１７】
このシート７を背後フレーム４に張着するにあたっては、シート７の四隅およびシート７の両側縁部の２箇所の合計６箇所の部位において止着される。シート７を背後フレーム４に張着する部品の関係については、図３に示す。背もたれ部Ｂは背後から正面方向へ、背後フレーム４、水平架材５、シート７および表キャップ７２の各部品に分解される。背後フレーム４のＸ字状に延びた４箇所の先端部には、裏キャップ４１、４１、４１、４１を備え、これらのシート７側には面座４３がドーナツ状に形成される。そして、裏キャップ４１を背後から正面へ向けて孔４４、および、これに挿通しネジ締めするボルト４２を備える。前述したように、水平架材５は背後フレーム４の交差した中央部位に固着され、水平方向に延びる両端部には、係止具５１、５１を備える。これらは、図示の通り外側へＬ字状に曲がる部材である。シート７の両側縁部には、シート７の周縁部を上下左右に巡る周枠部７１の中間高さ部位において、両側にリブ７４、７４が一体に射出成形される。これらのリブ７４は、シート７に被さるように一体形成され、コの字状断面を示し、このコの字の横孔７８へ、ナット５３を備えるコッター５２が挿着される。一方、シート７の周枠部７１における四隅部位には、孔７５、７５、７５、７５が樹脂射出により形成され、これらの孔７５と同心円に外側に面座７６が形成される。同時に、周枠部７１のこれらの位置にカップ状の筒部７７が背後へ延びる。前述の面座７６は、表キャップ７２の裏面が密着するように形成される。
【００１８】
シート７の四隅部位において、シート７を背後フレーム４に止着する部品の関係ついてはいて、図４の断面図と部品の分解図に示す。同図（ａ）は、止着完了後の断面図である。同図（ｂ）は各部品の分解図の中、表キャップ７２の断面を示し、この中にナット７３が装着される。同図（ｃ）はシート７の筒部７７の中、孔７５の周辺部位であり、同図（ｄ）は、背後フレーム４の先端部位における裏キャップ４１の断面図を示す。図（ａ）に示すように、表キャップ７２は、周枠部７１に穿孔された孔７５へ挿着される。そして、シート７の背後から筒部７７に嵌合するように裏キャップ４１を被せる。
【００１９】
以上のように背もたれ部が構成され、次に背後のフレームにシートを張着する手順について説明する。
【００２０】
水平架材５の両端部に備える係止具５１、５１をシート７の周枠部７１の中間高さ部位に備えるリブ７４、７４に係止する。この時、係止具５１の外側へＬ字状に曲がった部位を内側からリブ７４の横孔７８へ係止する。ここで、シート７の中間高さ部位の両側縁２箇所において、シート７が水平架材５に止着される。次に、シート７の上隅部の２箇所を背後フレーム４に止着する。この際、シート７の上隅部の孔７５と背後フレーム４の上方２箇所の裏キャップ４１の孔４４の位置を重ね合わせる。次いで、椅子の正面側から表キャップ７２をシート７の孔７５に覗かせる。このようにして、シート７の周枠部７１が裏キャップ４１と表キャップ７２とで挟着された状態になる。ここで、背後から表キャップ７２の中に装着されているナット７３にボルト４２を挿通し、ネジ締めする。これで、背もたれ部の上隅２箇所においてシート７が背後フレーム４に止着される。同様にして、シート７の下隅部の２箇所においてもシート７が背後フレーム４に止着される。
【００２１】
以上のように背もたれ部のシートがフレームに止着され、次に作用について説明する。
【００２２】
シート７の四隅部において、シート７が背後フレーム４に止着されるとともに、シート７の両側縁部の中間高さ部位においてシート７が水平架材５に止着される。この時、シート７の両側縁の中間高さ部位がシート７の四隅部を支点としてシート７の中間高さ部位が正面側へ中高に突き出た彎曲面が形成される。このようにして、シート７は６点の止着部位から引っ張られた彎曲面体が形成される。即ち、図１に示すようにシート７の両側の中間高さ部位においてシート７は正面方向へ彎曲面Ｃを有しアーチが形成される。ここで、シート７は背後フレーム４の正面へ向けて張着される。シート７の素材は動的粘弾性に優れるので、体をあずけるとシート７はクッションの作用をして背中の当たりがソフトになり、着座した人の背中を弾性的に支持することができる。シート７は複数箇所において、シート７の表裏から挟まれるようにネジ締めされるだけなので、その組立作業も簡単である。そして、従来の背もたれ部のように、両端に高さのある凸凹枠を必要としないので背もたれ部が薄く見え、デザイン性に優れたものとなる。また、シート７の周枠部７１は肉厚に一体成形されているので、周縁部においてシート７の強度が増大する。このため、シート７は引張力に対して強く、着座した人の背中の寄りかかりを確実に支えることができる。背中の形状にフィットし、座り心地を快適なものとする。そして、シートを構成する熱可塑性樹脂は長期間使用してもヘタリ等の経時劣化、永久変形も生じることなく耐久性に優れるので、長期間の使用に耐える。
【００２３】
シート７の四隅の止着箇所の面座７６は、ドーナツ状を示す。一方、表キャップ７２の裏面も面座７６に一致する。面座７６は表手キャップ７２と密着し、しかもその接触面積を広く取れるので、この箇所でシート７が破損することもない。同様に、シート７の背面において、裏キャップ４１のシート７側も面座４３を備える。従って、シート７と裏キャップ４１との密着性もよくこの箇所でシート７が破損することもない。
【産業上の利用可能性】
【００２４】
本考案の背もたれ張着構造の使途は、遊戯場におけるパーラー用の椅子および座り心地に快適さが求められる劇場、飲食店や長時間連続使用する事務用の椅子等がある。
【図面の簡単な説明】
【００２５】
【図１】本考案の実施例を示すもので、椅子を正面側から見た外観斜視図である。
【図２】同上、椅子を背後から見た外観斜視図である。
【図３】同上、同上、背もたれ部の部品を分解した斜視図である。
【図４】同上、シート四隅部における止着部の断面図および部品の分解図である。
【符号の説明】
【００２６】
Ｓ  椅子
Ｂ  背もたれ部
Ｃ  彎曲面
１  座部
２  基台
３  脚部
４  背後フレーム
４１  裏キャップ
４２  ボルト
４３  面座
４４  孔
５  水平架材
５１  係止具
５２  コッター
５３  ナット
５４  止ネジ
６  基幹フレーム
７  シート
７１  周枠部
７２  表キャップ
７３  ナット
７４  リブ
７５  孔
７６  面座
７７  筒部
７８  横孔
【図１】
0003118464.tif 000003
【図２】
0003118464.tif 000004
【図３】
0003118464.tif 000005
【図４】
0003118464.tif 000006